(57)【特許請求の範囲】
【請求項１】
軸の一端部に嵌め入れられる第一のキャップと、該軸の他端部に嵌め入れられる第二のキャップとを含んでなる筆記具等用キャップであって、
上記第一のキャップの閉塞端部から縮径頭部を突出させてこれらの間の段差部外周には上記第二のキャップ用の複数のストッパリブを周方向に並べ設け、該第一のキャップの外周にクリップを支持させてその支持部には通気路を開け設け、該第一のキャップの開口端部内周に複数のリブを周方向に並べ設け、
内筒、外筒からなる上記第二のキャップの外筒の縮径部内に内筒を支持させてこれらの間の連結部には流通路を開け設けるとともに、該第二のキャップの縮径外筒の段差部外周には上記第一のキャップ用の複数のストッパリブを周方向に並べ設け、該第二のキャップの開口端部内周に複数のリブを周方向に並べ設け、
上記第一のキャップの口元における複数のリブを該第二のキャップの縮径外筒に、該第二のキャップの口元における複数のリブを該第一のキャップの縮径頭部にそれぞれ隙間を介して嵌め合い可能としたことを特徴とする筆記具等用キャップ。
【発明の詳細な説明】
【０００１】
【発明の属する技術分野】
本発明は、修正具、塗布具、あるいは筆記具からなる筆記具等用キャップの構造の改良に関するものである。
【０００２】
【従来の技術】
筆記具には鉛筆、サインペン、羽ペン、筆、万年筆等の様々な種類があるが、この他にツインタイプのマーカがあげられる。このマーカは、図示しないが、軸の一端部である筆記先端部に拡径の第一のキャップを、他端部である筆記末端部には縮径の第二のキャップをそれぞれ着脱自在に備え、これら第一、第二のキャップが相互に嵌合する構造に成形されている。
【０００３】
なお、この種の先行技術文献として、実用新案登録２５９６０６６号、２５９５８６９号、２５４２０８０号、２５５２１５４号、２５４２０４９号、２５４２３８６号、特開平９−２４６９３号、９−３９４７９号、９−４８１９５号公報等があげられる。
【０００４】
【発明が解決しようとする課題】
従来の筆記具等用キャップは、以上のように構成され、諸性能を向上させるべく鋭意研究開発されているが、その研究項目の一つとして安全性がある。すなわち、ツインタイプの第一、第二のキャップが単独でも、あるいは組み合わせの状態でも通気性を発揮するようにし、空気の流通を確保するようにすれば、ある種の好ましくない事態を容易に回避することが可能である。
【０００５】
本発明は、上記問題に鑑みなされたもので、第一、第二のキャップに単独でも、あるいは組み合わせの状態でも通気性を確保し、安全性を高めることのできる筆記具等用キャップを提供することを目的としている。
【０００６】
【課題を解決するための手段】
本発明においては、上記課題を達成するため、軸の一端部に嵌め入れられる第一のキャップと、該軸の他端部に嵌め入れられる第二のキャップとを含んでなるものであって、
上記第一のキャップの閉塞端部から縮径頭部を突出させてこれらの間の段差部外周には上記第二のキャップ用の複数のストッパリブを周方向に並べ設け、該第一のキャップの外周にクリップを支持させてその支持部には通気路を開け設け、該第一のキャップの開口端部内周に複数のリブを周方向に並べ設け、
内筒、外筒からなる上記第二のキャップの外筒の縮径部内に内筒を支持させてこれらの間の連結部には流通路を開け設けるとともに、該第二のキャップの縮径外筒の段差部外周には上記第一のキャップ用の複数のストッパリブを周方向に並べ設け、該第二のキャップの開口端部内周に複数のリブを周方向に並べ設け、
上記第一のキャップの口元における複数のリブを該第二のキャップの縮径外筒に、該第二のキャップの口元における複数のリブを該第一のキャップの縮径頭部にそれぞれ隙間を介して嵌め合い可能としたことを特徴としている。
【０００７】
ここで、特許請求の範囲における筆記具等は、ツインタイプのサインペン、ボールペン、水性や油性のマーカ等の筆記具が主であるが、なんらこれに限定されるものではなく、例えばツインタイプのリップブラシやアイカラースティック等の化粧具、修正具、塗布具等でも良い。
【０００８】
【発明の実施の形態】
以下、図面を参照して本発明の好ましい実施形態を説明すると、本実施形態における筆記具等用キャップは、図１ないし図３に示すように、図示しない軸(ｂａｒｒｅｌ)の一端部である太い筆記先端部に拡径の第一のキャップ１を、他端部である細い筆記末端部には縮径の第二のキャップ１２をそれぞれ嵌脱自在に備え、これらインクの蒸発を防止する第一、第二のキャップ１・１２を相互に嵌合可能な構造に成形するようにしている。
【０００９】
第一のキャップ１は、図１や図２に示すように、成形性、曲げ強さ、剛性、可滅菌性に優れるPP、ABS、PE、PET、及びその再生材等を用いて基本的には長い円筒形に成形され、その閉塞端部から閉塞面を備えた円筒形の縮径頭部２が一体的に突出成形されており、これら第一のキャップ１の閉塞端部と縮径頭部２との間の段差部外周には、第二のキャップ１２に接触係止する複数のストッパリブ３が周方向に所定のピッチで一体的に並設成形されている。この複数のストッパリブ３は、各ストッパリブ３が略ブロック状に成形され、ストッパリブ３とストッパリブ３との間に通気用の隙間４を区画形成するよう機能する。
【００１０】
第一のキャップ１の外周の閉塞端部側には口元、すなわち、開口端部方向に指向する棒状のクリップ５が一体的に成形支持され、このクリップ５の自由端部側の内面には略半楕球形の突部６が膨出成形されており、クリップ５の末端部側の支持部７には第一のキャップ１とクリップ５との間に位置する通気路８が閉塞端部方向、換言すれば、軸方向に向け長く穿孔成形されている。また、第一のキャップ１の開口端部は、その外周に断面半楕円形のフランジ９が半径外方向に成形され、内周が少々厚さ方向に拡径に成形されるとともに、軸方向に指向する複数のリブ１０が周方向に所定のピッチで一体的に並設成形されている。この複数のリブ１０は、第一のキャップ１の半径内方向に指向する各リブ１０が細長い板状に成形され、リブ１０とリブ１０との間に通気用の隙間１１を区画形成するよう機能する。
【００１１】
第二のキャップ１２は、図１や図３に示すように、PP、ABS、PE、PET、及びその再生材等を用いて基本的には第一のキャップ１よりも短い円筒形に成形されている。この第二のキャップ１２は、外筒２０と、この外筒２０の縮径部内に支持される内筒２１とを備え、この内筒２１には閉塞面を備えた円筒形の縮径外筒１３が連結リブ１４を介し一体的に成形支持されており、この連結リブ１４には複数の流通路１５が閉塞端部方向、換言すれば、軸方向に向け長く穿孔成形されている。第二のキャップ１２の縮径外筒１３の段差部外周には、第一のキャップ１の開口端部に接触係止する複数のストッパリブ１６が周方向に所定のピッチで一体的に並設成形されている。この複数のストッパリブ１６は、各ストッパリブ１６が略ブロック状に成形され、ストッパリブ１６とストッパリブ１６との間に流通用の隙間１７を区画形成する。
【００１２】
第二のキャップ１２の口元、すなわち、開口端部内周は、少々厚さ方向に拡径に成形され、軸方向に指向する複数のリブ１８が周方向に所定のピッチで一体的に並設成形されている。この複数のリブ１８は、第二のキャップ１２の半径内方向に指向する各リブ１８が細長い板状に成形され、リブ１８とリブ１８との間に流通用の隙間１９を区画形成する。
【００１３】
以上のように構成された第一のキャップ１の口元における複数のリブ１０は、図１に示すように、第二のキャップ１２の縮径外筒１３外周に隙間１１を介して嵌合するよう機能する。さらに、第二のキャップ１２の口元における複数のリブ１８は、同図に示すように、第一のキャップ１の縮径頭部２外周に隙間１９を介し嵌合する。
【００１４】
上記構成において、軸から取り外された第一のキャップ１が単独の場合には、矢印で示す空気は、第一のキャップ１の開口端部側からクリップ５の通気路８を通過して第一のキャップ１の閉塞端部側に流れ出る。また、軸から取り外された第二のキャップ１２が単独の場合、矢印で示す空気は、第二のキャップ１２の開口端部側から複数の流通路１５を流通して第二のキャップ１２の閉塞端部側に流出する。
【００１５】
次に、軸から取り外された第一のキャップ１の縮径頭部２に第二のキャップ１２を嵌入した組み合わせ状態の場合には、矢印で示す空気は、第一のキャップ１の開口端部側からクリップ５の通気路８を通過して第一のキャップ１の閉塞端部側に流れ出る。また、第一のキャップ１の開口端部側、通気路８、複数のストッパリブ３間の隙間４、第二のキャップ１２の複数のリブ１８間の隙間１９、及び第二のキャップ１２の複数の流通路１５を順次流通して第二のキャップ１２の閉塞端部側に途切れることなく流出する。
【００１６】
逆に、軸から取り外された第二のキャップ１２の縮径外筒１３に第一のキャップ１を嵌入した組み合わせ状態の場合、矢印で示す空気は、第二のキャップ１２の開口端部側から複数の流通路１５、第一のキャップ１の複数のリブ１０間の隙間１１、及び第二のキャップ１２の複数のストッパリブ１６間の隙間１７を順次通過して第一のキャップ１の開口端部側に連続して流れ出る。さらに、第一のキャップ１の開口端部側からクリップ５の通気路８を通過して第一のキャップ１の閉塞端部側に流れ出る。
【００１７】
上記構成によれば、第一、第二のキャップ１・１２が単独でも、あるいは組み合わせの連結状態でも通気性を発揮するので、例えば幼児等の人間や動物の生存に必要な空気の流通を確保して呼吸を維持することができ、実に簡易な構成である種の好ましくない事態をきわめて容易に回避することができる。したがって安全性の著しい向上が大いに期待できる。
【００１８】
また、支持部７に通気路８が成形されているので、この通気路８を第一のキャップ１の外側から実に視認しにくく、第一のキャップ１の外観美や機能美を損なうことが全くない。同様に、連結リブ１４に複数の流通路１５が成形されているので、この流通路１５を第二のキャップ１２の外側からきわめて把握しにくく、第二のキャップ１２の外観美を維持することが可能となる。さらに、第一、第二のキャップ１・１２共に比較的簡易な構成であるから、射出成形等の成形作業やその作業の円滑化、迅速化、容易化を図ることができる。
【００１９】
なお、上記実施形態では円筒形の第一、第二のキャップ１・１２を示したが、これら第一、第二のキャップ１・１２を中空の円錐台形等に成形することもできる。また、複数のストッパリブ３・１６とリブ１０・１８とは、２個以上であれば、数を適宜増減することができる。また、上記実施形態ではブロック状のストッパリブ３・１６を示したが、なんらこれに限定されるものではない。例えば、板状、半球状、半楕球状等のストッパリブ３・１６でも良い。また、リブ１０・１８も板状に限定されるものではなく、例えば、半球状や半楕球状等のリブ１０・１８でも良い。さらに、第二のキャップ１２の外周にクリップ５を適宜設けることも可能である。
【００２０】
【発明の効果】
以上のように本発明によれば、第一のキャップの閉塞端部から縮径頭部を突出させてこれらの間の段差部外周には第二のキャップ用の複数のストッパリブを周方向に並べ設け、第一のキャップの外周にクリップを支持させてその支持部には通気路を開け設け、第一のキャップの開口端部内周に複数のリブを周方向に並べ設け、内筒、外筒からなる第二のキャップの外筒の縮径部内に内筒を支持させてこれらの間の連結部には流通路を開け設けるとともに、第二のキャップの縮径外筒の段差部外周には第一のキャップ用の複数のストッパリブを周方向に並べ設け、第二のキャップの開口端部内周に複数のリブを周方向に並べ設け、第一のキャップの口元における複数のリブを第二のキャップの縮径外筒に、第二のキャップの口元における複数のリブを第一のキャップの縮径頭部にそれぞれ隙間を介して嵌め合い可能とするので、第一、第二のキャップに単独でも、あるいは組み合わせの状態でも通気性を確保し、安全性を向上させることができるという効果がある。
【図面の簡単な説明】
【図１】本発明に係る筆記具等用キャップの実施形態における第一、第二のキャップを組み合わせた状態を示す断面説明図である。
【図２】本発明に係る筆記具等用キャップの実施形態における第一のキャップを示す断面説明図である。
【図３】本発明に係る筆記具等用キャップの実施形態における第二のキャップを示す断面説明図である。
【符号の説明】
１        第一のキャップ
２        縮径頭部
３        ストッパリブ
４        隙間
５        クリップ
７        支持部
８        通気路
１０      リブ
１１      隙間
１２      第二のキャップ
１３      縮径外筒
１４      連結リブ(連結部)
１５      流通路
１６      ストッパリブ
１７      隙間
１８      リブ
１９      隙間
２０      外筒
２１      内筒
【図１】
0004493802.tif 000002
【図２】
0004493802.tif 000003
【図３】
0004493802.tif 000004